【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
水深値を計測する水深計測部と、入水状態にあるか否かを検出する入水検出部と、前記入水状態が検出され、計測された前記水深値が予め設定した潜水判定用水深値より深い場合に潜水状態であると判定する潜水判定部と、前記水深値および潜水中の経過時間により体内に吸収／排出される不活性ガス量を演算し、ダイバーに安全情報を提供する安全情報導出部と、を有するダイバーズ用情報処理装置において、
前記潜水状態と判定された後に、当該潜水状態の判定が誤認定による誤認状態であるか否かを判別する誤認状態判別部と、
前記誤認状態であると判別された場合に、当該誤認状態である旨を告知する告知部と、
前記告知部が告知した前記誤認状態を解除するとした確認結果が入力されると、当該確認結果に基づいて前記誤認状態を解除して潜水状態の動作状態から非潜水状態の動作状態に遷移させる制御部と、
を備えたことを特徴とするダイバーズ用情報処理装置。
【請求項２】
請求項１記載のダイバーズ用情報処理装置において、
各種情報を表示する表示部を備え、
前記告知部は、前記告知を前記表示部により行い、前記告知部が告知した前記誤認状態を、解除するか否かの確認を前記表示部により行う、
ことを特徴とするダイバーズ用情報処理装置。
【請求項３】
請求項１または請求項２記載のダイバーズ用情報処理装置において、
前記誤認状態を解除するための指示を入力するための指示入力部を備えたこと
を特徴とするダイバーズ用情報処理装置。
【請求項４】
請求項１ないし請求項３のいずれかに記載のダイバーズ用情報処理装置において、
前記誤認状態判別部は、前記潜水状態と判定された後に、前記入水状態が解除され、当該解除後の経過時間が所定時間以上である場合に、前記誤認状態にあると判別することを
特徴とするダイバーズ用情報処理装置。
【請求項５】
水深値を計測する水深計測部と、入水状態にあるか否かを検出する入水検出部と、前記水深値および潜水中の経過時間により体内に吸収／排出される不活性ガス量を演算し、ダイバーに安全情報を提供する安全情報導出部と、を備えたダイバーズ用情報処理装置の制御方法において、
前記入水状態が検出され、計測された前記水深値が予め設定した潜水判定用水深値より深い場合に潜水状態であると判定する潜水判定過程と、
前記潜水状態と判定された後に、当該潜水状態の判定が誤認定による誤認状態であるか否かを判別する誤認状態判別過程と、
前記誤認状態であると判別された場合に、当該誤認状態である旨を告知する告知過程と、
前記告知過程で告知した前記誤認状態を、解除するとした確認結果に基づいて、前記誤認状態を解除して潜水状態の動作状態から非潜水状態の動作状態に遷移させる動作制御過程と、
を備えたことを特徴とするダイバーズ用情報処理装置の制御方法。
【請求項６】
水深値を計測する水深計測部と、入水状態にあるか否かを検出する入水検出部と、前記水深値および潜水中の経過時間により体内に吸収／排出される不活性ガス量を演算し、ダイバーに安全情報を提供する安全情報導出部と、を備えたダイバーズ用情報処理装置をコンピュータにより制御するための制御プログラムにおいて、
前記入水状態が検出され、計測された前記水深値が予め設定した潜水判定用水深値より深い場合に潜水状態であると判定させ、
前記潜水状態と判定された後に、当該潜水状態の判定が誤認定による誤認状態であるか否かを判別させ、
前記誤認状態であると判別された場合に、当該誤認状態である旨を告知させ、
告知した前記誤認状態を、解除するとした確認結果に基づいて、前記誤認状態を解除して潜水状態の動作状態から非潜水状態の動作状態に遷移させる
ことを特徴とする制御プログラム。
【手続補正２】
【補正対象書類名】明細書
【補正対象項目名】０００６
【補正方法】変更
【補正の内容】
【０００６】
上記課題を解決するため、水深値を計測する水深計測部と、入水状態にあるか否かを検出する入水検出部と、前記入水状態が検出され、計測された前記水深値が予め設定した潜水判定用水深値より深い場合に潜水状態であると判定する潜水判定部と、前記水深値および潜水中の経過時間により体内に吸収／排出される不活性ガス量を演算し、ダイバーに安全情報を提供する安全情報導出部と、を有するダイバーズ用情報処理装置において、前記潜水状態と判定された後に、当該潜水状態の判定が誤認定による誤認状態であるか否かを判別する誤認状態判別部と、前記誤認状態であると判別された場合に、当該誤認状態である旨を告知する告知部と、前記告知部が告知した前記誤認状態を解除するとした確認結果が入力されると、当該確認結果に基づいて前記誤認状態を解除して潜水状態の動作状態から非潜水状態の動作状態に遷移させる制御部と、を備えたことを特徴としている。
【手続補正３】
【補正対象書類名】明細書
【補正対象項目名】０００７
【補正方法】変更
【補正の内容】
【０００７】
上記構成によれば、誤認状態判別部は、前記潜水状態と判定された後に、当該潜水状態の判定が誤認定による誤認状態であるか否かを判別し、告知部は、誤認状態判別部により誤認状態であると判別された場合に、当該誤認状態である旨を告知する。
そして、制御部は、告知部が告知した誤認状態を解除するとした確認結果が入力されると、当該確認結果に基づいて前記誤認状態を解除して潜水状態の動作状態から非潜水状態の動作状態に遷移させる。
【手続補正４】
【補正対象書類名】明細書
【補正対象項目名】０００８
【補正方法】変更
【補正の内容】
【０００８】
この場合において、各種情報を表示する表示部を備え、前記告知部は、前記告知を前記表示部により行い、前記告知部が告知した前記誤認状態を、解除するか否かの確認を前記表示部により行うようにしてもよい。
また、前記誤認状態を解除するための指示を入力するための指示入力部を備えるようにしてもよい。
さらに、前記誤認状態判別部は、前記潜水状態と判定された後に、前記入水状態が解除され、当該解除後の経過時間が所定時間以上である場合に、前記誤認状態にあると判別するようにしてもよい。
【手続補正５】
【補正対象書類名】明細書
【補正対象項目名】０００９
【補正方法】変更
【補正の内容】
【０００９】
また、水深値を計測する水深計測部と、入水状態にあるか否かを検出する入水検出部と、前記水深値および潜水中の経過時間により体内に吸収／排出される不活性ガス量を演算し、ダイバーに安全情報を提供する安全情報導出部と、を備えたダイバーズ用情報処理装置の制御方法において、前記入水状態が検出され、計測された前記水深値が予め設定した潜水判定用水深値より深い場合に潜水状態であると判定する潜水判定過程と、前記潜水状態と判定された後に、当該潜水状態の判定が誤認定による誤認状態であるか否かを判別する誤認状態判別過程と、前記誤認状態であると判別された場合に、当該誤認状態である旨を告知する告知過程と、前記告知過程で告知した前記誤認状態を、解除するとした確認結果が入力されると、当該確認結果に基づいて、前記誤認状態を解除して潜水状態の動作状態から非潜水状態の動作状態に遷移させる動作制御過程と、を備えたことを特徴としている。
【手続補正６】
【補正対象書類名】明細書
【補正対象項目名】００１０
【補正方法】変更
【補正の内容】
【００１０】
また、水深値を計測する水深計測部と、入水状態にあるか否かを検出する入水検出部と、前記水深値および潜水中の経過時間により体内に吸収／排出される不活性ガス量を演算し、ダイバーに安全情報を提供する安全情報導出部と、を備えたダイバーズ用情報処理装置をコンピュータにより制御するための制御プログラムにおいて、前記入水状態が検出され、計測された前記水深値が予め設定した潜水判定用水深値より深い場合に潜水状態であると判定させ、前記潜水状態と判定された後に、当該潜水状態の判定が誤認定による誤認状態であるか否かを判別させ、前記誤認状態であると判別された場合に、当該誤認状態である旨を告知させ、告知した前記誤認状態を解除するとした確認結果が入力されると、当該確認結果に基づいて、前記誤認状態を解除して潜水状態の動作状態から非潜水状態の動作状態に遷移させることを特徴としている。
【手続補正７】
【補正対象書類名】明細書
【補正対象項目名】００１１
【補正方法】変更
【補正の内容】
【００１１】
本発明によれば、ダイバーズ用情報処理装置が潜水状態に移行したと誤認定により判定された場合であっても、自動的に潜水状態を解除することなく、当該誤認状態を解除するとした確認結果が入力されることで、潜水状態の解除を行うので、収集した情報の信頼性を向上させ、より信頼性の高い安全情報を提供することができる。